(57)【要約】【課題】乳幼児等による誤飲防止対策が求められる様々な用途に使用することができ、従来と同様の製造工程で容易に製造できる粘着シートを提供する。【解決手段】厚み方向に貫通する孔部である切り込み２２が設けられた基材１２と、基材１２の裏面側に設けられた粘着剤層１４とを備える。粘着剤層１４は、催吐性を有した呈味物質を含有する。切り込み２２は、人が基材１２の表面側を舐めたとき、粘着剤層１４中の呈味物質が切り込み２２を通じて滲出するように形成されている。粘着剤層１４は、貼着後に剥離が可能なもの、又は再貼着及び再剥離が可能なものであると良い。【選択図】図１
2019070073.tif 000002
【特許請求の範囲】
【請求項１】
厚み方向に貫通する孔部が設けられた基材と、前記基材の裏面側に設けられた粘着剤層とを備え、前記粘着剤層は、催吐性を有した呈味物質を含有し、前記孔部は、人が前記基材の表面側を舐めたとき、前記粘着剤層中の前記呈味物質が前記孔部を通じて滲出するように形成されている特徴とする粘着シート。
【請求項２】
前記孔部は、前記基材を貫通する複数の切り込みにより形成されている請求項１記載の粘着シート。
【請求項３】
前記粘着剤層は、貼着後に剥離が可能なものである請求項１又は２記載の粘着シート。
【請求項４】
前記粘着剤層は、再貼着及び再剥離が可能なものである請求項３記載の粘着シート。
【請求項５】
前記基材の端部に、前記粘着剤層が無い摘み部、又は粘着剤層の外側面に印刷を施して粘着力を無効化させた摘み部が設けられている請求項３又は４記載の粘着シート。
【請求項６】
貼着される相手方は、ＰＴＰ包装体の、容器シートに形成された複数の収容部を閉鎖している蓋材であり、
前記基材は、破断線によって前記各収容部の位置に対応する複数の領域に区切られ、前記各領域に前記孔部が形成されている請求項３又は４記載の粘着シート。
【請求項７】
前記基材の前記各領域の端部に、裏面に前記粘着剤層が無い摘み部、又は粘着剤層の外側面に印刷を施して粘着力を無効化させた摘み部が設けられている請求項６記載の粘着シート。
【発明の詳細な説明】
【技術分野】
【０００１】
本発明は、乳幼児等による誤飲防止対策に使用される粘着シートに関する。
【背景技術】
【０００２】
医療用の薬剤等の包装形態として、ＰＴＰ包装体が広く使用されている。例えば、ＰＴＰ包装体１は、図９（ａ）〜（ｃ）に示すように、エンボス状の収容部２ａが１０個形成されたプラスチック製の容器シート２と、アルミニウム箔等で成る蓋材３とで構成され、薬剤４が収容部２ａに入った状態で蓋材３が容器シート２に溶着され、収容部２ａの開口端が蓋材３の閉鎖部分３ａで塞がれている。大人が薬剤４を取り出すときは、収容部２ａの頂部の外面に指を当てて蓋材３側に押し込み、薬剤４で閉鎖部分３ａを押し破る操作を行ことによって、薬剤４を取り出すことができる。
【０００３】
近年、ＰＴＰ包装体は、子供が不意に薬剤を取り出して飲み込んでしまう誤飲事故が発生し、問題になっている。子供による薬剤の誤飲事故について、２歳以下の乳幼児の場合、ＰＴＰ包装体を口に含み、ＰＴＰ包装体をかじって薬剤を取り出すケースが多いという調査結果が報告されている。
【０００４】
従来、乳幼児による誤飲を防止するための技術として、例えば、特許文献１に開示されているように、知育教材用のシールブック等から着脱される粘着シートであって、基材の片面に設けられた粘着剤層に、催吐性を有する呈味物質から成る誤飲防止剤を含有させた粘着シートがあった。シールブックの粘着シートは比較的小形なので、乳幼児は、粘着シートをシールブック本体から剥がし、そのまま口に入れてしまうおそれがある。しかし、この粘着シートを使用すれば、乳幼児が粘着剤層を舐めて嫌な味を感じ、粘着シートをすぐに口から吐き出すので、誤飲を防止することができる。
【０００５】
また、特許文献２に開示されているように、乳幼児が口に入れやすいコイン型の乾電池等の小物に貼着される貼着片であって、基材の表面（接着剤層と反対側の面）に、乳幼児が味覚的に嫌う苦味等を有する刺激性物質層を設けた貼着片があった。この貼着片を小物に貼着しておけば、乳幼児が小物を口に入れたとき、基材表面の刺激性物質層を舐めて嫌な味を感じ、小物をすぐに口から吐き出すので、誤飲を防止することができる。
【先行技術文献】
【特許文献】
【０００６】
【特許文献１】特開２０１２−９７１５２号公報
【特許文献２】実公昭５９−５３７６２号公報
【発明の概要】
【発明が解決しようとする課題】
【０００７】
特許文献１の粘着シートは、誤飲防止剤を粘着剤層に含有させてあるので、ＰＴＰ包装体１の蓋材３に貼り付けたとしても、乳幼児による薬剤の誤飲を防止することができない。乳幼児がＰＴＰ包装体を口に入れた時、粘着剤層には舌が触れないので、誤飲防止剤の嫌な味を感じないからである。
【０００８】
一方、特許文献２の貼着片は、刺激性物質層が基材の表面（接着剤層と反対側の面）に設けてあるので、ＰＴＰ包装体１の蓋材３に貼り付けることによって、乳幼児による薬剤の誤飲を防止することができる。しかしながら、この貼着片は、基材の表面に刺激性物質層を設けなければならないので、刺激性物質層を有しない通常の貼着片よりも製造工程が増えてしまう。また、また、基材の表面に印刷によって層を設ける場合、盛り量に限度があるので、刺激性物質の分量をあまり増やすことができず、十分な効果が期待できない。
【０００９】
本発明は、上記背景技術に鑑みて成されたものであり、乳幼児による誤飲防止対策が求められる様々な用途に使用することができ、容易に製造可能な粘着シートを提供することを目的とする。
【課題を解決するための手段】
【００１０】
本発明は、厚み方向に貫通する孔部が設けられた基材と、前記基材の裏面側に設けられた粘着剤層とを備え、前記粘着剤層は、催吐性を有した呈味物質を含有し、前記孔部は、乳幼児等が前記基材の表面側を舐めたとき、前記粘着剤層中の前記呈味物質が前記孔部を通じて滲出するように形成されている粘着シートである。
【００１１】
前記孔部は、前記基材を貫通する複数の切り込みにより形成されていることが好ましい。また、前記粘着剤層は、貼着後に剥離が可能なものにすることができる。さらに剥離後に再貼着及び再剥離が可能なものにすることもできる。この場合、前記基材の端部に、前記粘着剤層が無い摘み部、又は粘着剤層の外側面に印刷を施して粘着力を無効化させた摘み部が設けられていることが好ましい。
【００１２】
例えば、貼着される相手方は、ＰＴＰ包装体の、容器シートに形成された複数の収容部を閉鎖している蓋材であり、この場合、前記基材は、破断線によって前記各収容部の位置に対応する複数の領域に区切られ、前記各領域に前記孔部が形成されている構成にすることが好ましい。また、前記基材の前記各領域の端部に、裏面に前記粘着剤層が無い摘み部、又は粘着剤層の外側面に印刷を施して粘着力を無効化させた摘み部が設けられていることが好ましい。
【発明の効果】
【００１３】
本発明の粘着シートは、基材の裏面側に呈味物質を含有した粘着剤層が設けられ、乳幼児や認知症の人等が基材の裏面側（粘着剤層）を直接舐めたときに呈味物質の嫌な味を感じさせることができ、基材の表面側を舐めたときも、孔部を通じて呈味物質が表面側に滲出し、呈味物質の嫌な味を感じさせることができる。したがって、乳幼児等による誤飲防止対策が求められる様々な用途に適用することができる。
【００１４】
また、本発明の粘着シートは、基材に孔部を設けなければならないが、孔部を切り込み等で形成する構成にすれば、基材をブランクから打ち抜く工程を利用して容易に設けることができ、特別な工程を新たに追加する必要はない。したがって、本発明の粘着シートは、所定量の呈味物質が添加された粘着剤を用意するだけで、通常の粘着シートと同様の設備を用いて容易に製造することができる。
【図面の簡単な説明】
【００１５】
【図１】本発明の粘着シートの第一の実施形態を示す平面図（ａ）、Ｂ１−Ｂ１断面の拡大図（ｂ）である。
【図２】図１の粘着シートをＰＴＰ包装体の蓋材に貼着した状態を示す平面図（ａ）、Ｂ２−Ｂ２断面の拡大図（ｂ）である。
【図３】図１の粘着シートをＰＴＰ包装体の蓋材に貼着した状態で、薬剤を取り出す時の動作を示す平面図（ａ）、Ｂ３−Ｂ３断面の拡大図（ｂ）である。
【図４】本発明の粘着シートの第二の実施形態を示す平面図（ａ）、Ｃ１−Ｃ１断面の拡大図（ｂ）である。
【図５】図４の粘着シートをＰＴＰ包装体の蓋材に貼着した状態で、薬剤を取り出す時の動作を示す平面図（ａ）、Ｃ２−Ｃ２断面の拡大図（ｂ）である。
【図６】切り込み（孔部）のレイアウトの例を示す図（ａ）〜（ｃ）である。
【図７】第一の実施形態の粘着シートの変形例を示す図であって、変形例の粘着シートをＰＴＰ包装体の蓋材に貼着した状態で、薬剤を取り出す時の動作を示す平面図（ａ）、Ｂ３−Ｂ３断面の拡大図（ｂ）である。
【図８】第一の実施形態の粘着シートの摘み部の変形例を示す図（ａ）〜（ｃ）、第二の実施形態の粘着シートの摘み部の変形例を示す図（ｄ）である。
【図９】一般的なＰＴＰ包装体を容器シート側から見た図（ａ）、蓋側から見た図（ｂ）、Ａ−Ａ断面の拡大図（ｃ）である。
【発明を実施するための形態】
【００１６】
以下、本発明の粘着シートの第一の実施形態について、図１〜図３に基づいて説明する。この実施形態の粘着シート１０は、乳幼児等による薬剤の誤飲を防止するため、図９に示すＰＴＰ包装体１の蓋材３に貼り付けて使用されるシート材である。ここでは、ＰＴＰ包装体１内の薬剤４は、１日１回、夜に２錠ずつ服用される薬剤である。
【００１７】
粘着シート１０は、図１に示すように、基材１２と、基材１２の裏面側に設けられた粘着剤層１４とで構成され、流通過程では、粘着剤層１４に保護用の剥離シート１６を貼り付けた状態で取り扱われる。
【００１８】
基材１２は、例えば紙やプラスチックフィルム、その他合成紙等で成り、外形は蓋材３よりも僅かに小さい略長方形で、その内側が、短辺に対して略平行な４つの横破断線１８によって５個の領域１２(1)〜１２(5)に区切られている。領域１２(1)には、基材１２の厚み方向に貫通する孔部である切り込み２２が設けられ、切り込み２２は、横破断線１８と略直角なスリットを複数列に整列させたレイアウトになっている。他の領域１２(2)〜１２(5)にも、同様のスリット２２がそれぞれ設けられている。
【００１９】
粘着剤層１４は、貼着後に剥離が可能な粘着剤が、基材１２の裏面側を広く覆うように塗布された層であり、粘着剤には催吐性を有した呈味物質が添加されている。粘着剤は、例えばアクリル系やウレタン系、ゴム系、ポリエステル系、シリコーン系の粘着剤の中から適宜の材料を選択することができる。また、催吐性を有した呈味物質は、例えば、乳幼児を含む人が味覚的に嫌う苦味剤、酸味剤、渋味剤等である。
【００２０】
基材１２の各領域の端部（図１（ａ）における右上のハッチングの部分）の裏面には、粘着剤層１４が設けられていない。この粘着剤層１４が無い部分は、使用者が剥離シート１６を剥がす際の摘まみとなる摘み部２４であ。摘み部２４は、粘着剤層の外側面に印刷を施して粘着力を無効化させたものでもよい。
【００２１】
基材１２の表面側には、使用者が摘み部２４の位置を視認できるように三角形のマークが印刷されている。また、領域１２(1)〜１２（5）の中の特定の領域又は全ての領域に、薬剤４の服用方法を示す「１日１回」「夜２錠」等の文字が印刷されている。その他、必要な情報があれば、適宜表示することができる。
【００２２】
次に、粘着シート１０の使用方法を説明する。粘着シート１０は、図２（ａ）に示すように、ＰＴＰ包装体１の蓋材３に基材１２の裏面側の粘着剤層１４を貼着して使用される。この貼着された状態で、粘着シート１０の領域１２(1)〜１２(5)は、それぞれＰＴＰ包装体１の収容部２ａ（及び閉鎖部分３ａ）の中の特定の２つに対向する。また、各領域１２(1)〜１２(5)のスリット２２は、一部又は全部が、対向する閉鎖部分３ａに重なっていることが好ましい。
【００２３】
粘着シート１０が貼着されたＰＴＰ包装体１は、乳幼児等がかじって薬剤４を取り出そうとすると、粘着シート１０の基材１２の表面側を舌で舐めてしまうので、図２（ｂ）に示すように、粘着剤層１４中の呈味物質が切り込み２２を通じて滲出する。そのため、乳幼児は、呈味物質の嫌な味を感じてＰＴＰ包装体１をすぐに口から離してしまう。したがって、ＰＴＰ包装体１から薬剤４を取り出すことができず、薬剤４の誤飲を確実に防止することができる。
【００２４】
大人が薬剤４を服用するときは、１回当たりの服用数が２錠なので、２つの閉鎖部分３ａを露出させるため、１つの領域（例えば、領域１２(1)）を引き剥がす。このとき、領域１２(1)は、領域１２に設けられた摘み部２４を指で摘まむことにより、容易に引き剥がすことができる。また、引き剥がされた領域１２(1)は、横破断線１８で他の領域と区切られているので、図３（ａ）に示すように、領域１２(1)を区切っている横破断線１８が破断することによって、他の領域１２(2)〜１２(5)は引き剥がされずに綺麗に残る。
【００２５】
そして、露出した閉鎖部分３ａから薬剤４を取り出すため、図３（ｂ）に示すように、引き剥がされた領域１２(1)に対向していた収容部２ａの頂部の外面に指を当てて蓋材３側に押し込む。そして、閉鎖部分３ａを薬剤４で押し破ることによって、必要数の薬剤４を取り出すことができる。また、ＰＴＰ包装体１の中に残っている薬剤４は、引き剥がされずに残った領域１２(2)〜１２(5)によって引き続き保護される。
【００２６】
以上説明したように、粘着シート１０はＰＴＰ包装体１に貼着されて使用され、乳幼児や認知症の人等が、ＰＴＰ包装体１をかじって薬剤４を取り出して誤飲するのを確実に防止することができる。
【００２７】
また、粘着シート１０は、基材１２に孔部である切り込み２２を設けなければならないが、切り込み２２は、基材２２をブランクから打ち抜く工程で利用して容易に設けることができるので、特別な工程を新たに追加する必要はない。したがって、この粘着シート１０は、所定量の呈味物質が添加された粘着剤を用意するだけで、通常の粘着シートと同様の設備を用いて容易に製造することもできる。
【００２８】
次に、本発明の粘着シートの第二の実施形態について、図４、図５に基づいて説明する。ここで、上記実施形態と同様の構成は、同一の符号を付して説明を省略する。この実施形態の粘着シート２６は、上記粘着シート１０と同様に、乳幼児等による薬剤の誤飲を防止するため、図９に示すＰＴＰ包装体１の蓋材３に貼り付けて使用されるシート材である。ただし、ここでは、ＰＴＰ包装体１内の薬剤４は、１回に２錠ずつではなく、１回に１錠ずつ服用される薬剤である。
【００２９】
粘着シート２６は、粘着シート１０と構成が類似しているが、４つの横破断線１８に加え、横破断線１８と交差する縦破断線２８が中央部に追加され、基材１２の内側が１０個の領域１２(1)〜１２(10)に区切られているという違いがある。また、基材１２の各領域１２(1)〜１２(10)の端部（図４（ａ）における右上又は左上のハッチングの部分）に、粘着剤層１４が無い部分である摘み部２４が設けられている。さらに、領域１２(1)〜１２（10）の中の特定の領域又は全ての領域に、薬剤４の服用方法を示す「１日１回」「夜１錠」の文字が印刷されている。その他の構成は、粘着シート１０と同様である。
【００３０】
次に、粘着シート２６の使用方法を説明する。粘着シート２６は、粘着シート１０（図２（ａ））の場合と同様に、ＰＴＰ包装体１の蓋材３に基材１２の裏面側の粘着剤層１４を貼着して使用される。この貼着された状態で、粘着シート１０の領域１２(1)〜１２(10)は、それぞれＰＴＰ包装体１の収容部２ａ（及び閉鎖部分３ａ）の中の特定の１つに対向する。また、各領域１２(1)〜１２(10)のスリット２２は、一部又は全部が、対向する閉鎖部分３ａに重なっていることが好ましい。
【００３１】
粘着シート２６が貼着されたＰＴＰ包装体１は、乳幼児等がかじって薬剤４を取り出そうとすると、粘着シート１０の基材１２の表面側を舌で舐めてしまうので、粘着シート１０（図２（ｂ））の場合と同様に、粘着剤層１４中の呈味物質が切り込み２２を通じて滲出する。そのため、乳幼児は、呈味物質の嫌な味を感じてＰＴＰ包装体１をすぐに口から離してしまう。したがって、ＰＴＰ包装体１から薬剤４を取り出すことができず、薬剤４の誤飲を確実に防止することができる。
【００３２】
大人が薬剤４を服用するときは、１回当たりの服用数が１錠なので、まず、１つの閉鎖部分３ａを露出させるため、１つの領域(例えば、領域１２(1))を引き剥がす。このとき、領域１２(1)は、領域１２に設けられた摘み部２４を指で摘まむことにより、容易に引き剥がすことができる。また、引き剥がされた領域１２(1)は、横破断線１８及び縦破断線２８の一部で他の領域と区切られているので、図５（ａ）に示すように、横破断線１８及び縦破断線２８の一部が破断することによって、他の領域１２(2)〜１２(10)は引き剥がされずに綺麗に残る。
【００３３】
そして、露出した閉鎖部分３ａから薬剤４を取り出すため、図５（ｂ）に示すように、引き剥がされた領域に対向していた収容部２ａの頂部の外面に指を当てて蓋材３側に押し込む。そして、閉鎖部分３ａを薬剤４で押し破ることによって、必要数の薬剤４を取り出すことができる。また、ＰＴＰ包装体１の中に残っている薬剤４は、引き剥がされずに残った領域１２(2)〜１２(10)によって引き続き保護される。
【００３４】
以上説明したように、粘着シート２６によれば、上記粘着シート１０と同様の作用効果を得ることができる。
【００３５】
なお、本発明の粘着シートは、上記実施形態に限定されるものではない。基材１２の孔部である切り込み２２は、乳幼児等が基材１２の表面側を舐めたとき、粘着剤層１４中の呈味物質が切り込み２２を通じて滲出するように形成されたものであればよく、例えば図６（ａ）〜（ｇ）に示すように、自由にレイアウトを変更することができる。また、孔部は切り込み以外の方法で設けてもよく、例えば、図６（ｈ）に示すように、基材に複数の小穴を空けることによって孔部２３を設けてもよい。
【００３６】
基材を区切る破断線のレイアウトは、ＰＴＰ包装体の収容部の数や配置、薬剤の１回当たりの服用数等に合わせて適宜変更することができ、上記実施形態と同様の使い方ができる。また、第一の実施形態の粘着シート１０は、１回当たりの服用数が２錠の薬剤を収容したＰＴＰ包装体１に適した構成であるが、１回当たりの服用数が１錠の薬剤を収容したＰＴＰ包装体１に使用することも可能である。この場合は、粘着剤層１４の粘着剤を、再貼着及び再剥離を繰り返し可能な粘着剤に変更するとよい。このような粘着剤も、例えば、アクリル系、ウレタン系、ゴム系、ポリエステル系、シリコーン系の粘着剤の中の、再貼着・再剥離が可能なものを適宜選択して用いることができる。そうすれば、図７（ａ）、（ｂ）に示すように、大人が薬剤４を服用する時、領域１２(1)の半分を引き剥がし、薬剤４を１つだけ取り出し、その後、引き剥がした部分を容器シート２に再貼着して元に戻すことができる。これによって、ＰＴＰ包装体１内に残っている薬剤４を、領域１２(1)〜１２(5)によって引き続き保護することができる。そして、次回、薬剤４を服用するときは、再貼着した領域１２(1)の全体を再剥離すれば、次の薬剤４を１つ取り出すことができる。
【００３７】
また、摘み部の位置や形状は、使用者の使い勝手を考慮して自由に変更することができる。例えば、第一の実施形態の粘着シート１０であれば、摘み部を各領域の右上以外の角部、例えば（図８（ａ））に示す位置やその他の角部に設けてもよい。この他、各領域の右側の端部全体を摘み部にしてもよいし（図８（ｂ））、１つの領域に対して複数箇所、例えば（図８（ｃ））示す位置等の角部に摘み部を設けてもよい。第二の実施形態の粘着シート２６についても同様で、例えば、各領域の複数箇所に摘み部を設けてもよく、右側及び左側の端部全体を摘み部にしてもよい（図８（ｄ））。
【００３８】
その他、本発明の粘着シートは、汎用性が非常に高いものであり、ＰＴＰ包装体内の薬剤の誤飲防止対策以外の様々な用途に適用することができる。例えば、特許文献１に記載されている「知育教材用のシールブックの粘着シート」や、特許文献２に記載されている「コイン型の乾電池等の小物に貼着される貼着片」としても使用することができ、どちらの場合も、乳幼児等による誤飲事故を効果的に防止することができる。また、乾電池等の対象物が、粘着シートを貼着した状態で使用可能であれば、粘着剤層の粘着剤は、一度貼着すると剥離できないものを使用してもよい。
【符号の説明】
【００３９】
１  ＰＴＰ包装体
２  容器シート
２ａ  収容部
３  蓋材
３ａ  閉鎖部分
４  薬剤
１０，２６  粘着シート
１２  基材
１２(1)〜(5)、１２(1)〜(10)  領域
１４  粘着剤層
１６  剥離シート
１８  横破断線（破断線）
２２  切り込み（孔部）
２４  摘み部
２８  縦破断線（破断線）
【図１】
2019070073.tif 000003
【図２】
2019070073.tif 000004
【図３】
2019070073.tif 000005
【図４】
2019070073.tif 000006
【図５】
2019070073.tif 000007
【図６】
2019070073.tif 000008
【図７】
2019070073.tif 000009
【図８】
2019070073.tif 000010
【図９】
2019070073.tif 000011